(57)【特許請求の範囲】
【請求項１】
各楽曲について、そのメディアデータと共にその記録開始位置並びに記録日付及び時刻が記録できるようになっている記録媒体（１２）に対して、楽曲のメディアデータの中間個所を、その楽曲の開始からの再生時間で定義し、その再生時間を記録媒体（１２）の記録日付及び時刻エリアの時刻エリア部に書き込み、その書込み及びその楽曲についての前記記録開始位置に基づいて楽曲の中間個所へジャンプして再生自在になっていることを特徴とする記録・再生装置。
【請求項２】
記録媒体（１２）における楽曲の記録日付及び時刻エリアの時刻エリア部に記録されているデータが、楽曲の記録日付及び時刻ではなく、楽曲の中間個所であるときは、所定の目印を記録媒体（１２）に書込むようになっていることを特徴とする請求項１記載の記録・再生装置。
【請求項３】
前記目印は、楽曲の記録日付及び時刻エリアの日付エリア部に書込まれる特定の日付であることを特徴とする請求項２記載の記録・再生装置。
【請求項４】
前記目印は、記録日付及び時刻エリアのモデルコードフィールドの所定ビットをフラグにして書込まれることを特徴とする請求項２記載の記録・再生装置。
【請求項５】
中間個所が記録されているか否かを前記目印に基づいて検出する中間個所記録検出手段を有していることを特徴とする請求項２〜４のいずれかに記載の記録・再生装置。
【請求項６】
楽曲の中間個所として記録されている再生時間がその楽曲の総再生時間を上回っているときは、記録されている中間個所は誤りであるとする中間個所不正検出手段を有していることを特徴とする請求項１〜５のいずれかに記載の記録・再生装置。
【請求項７】
前記中間箇所はサビ位置であることを特徴とする請求項１〜６のいずれかに記載の記録・再生装置。
【請求項８】
楽曲のジャンルを記録媒体（１２）の記録日付及び時刻エリアの日フィールドに書込み、その書込みに基づいて楽曲のジャンルを検出することを特徴とする請求項１〜７記載の記録・再生装置。
【発明の詳細な説明】
【０００１】
【発明の属する技術分野】
この発明は、ＭＤ（ミニディスク）等の記録、再生を行う記録・再生装置に係り、詳しくは楽曲のサビ開始位置等の中間個所を記録自在とした記録・再生装置に関するものである。
【０００２】
【従来の技術】
ＣＤ（コンパクトディスク）の規格としてのＣＤ−ＴＥＸＴでは、これまでの楽曲番号（トラック番号）及び再生時間情報の他に、楽曲名、ジャンル、及びサビ開始位置等の情報も書込みできるようになっており、ＣＤプレーヤでは、サビ開始位置へ適宜、ジャンプして、サビ開始位置から再生できるようになっている。
【０００３】
一方、ＭＤ記録・再生機では、ＵＴＯＣ（Ｕｓｅｒ’ｓ  Ｔａｂｌｅ  Ｏｆ  Ｃｏｎｔｅｎｔｓ）に、楽曲名や記録日付及び時刻を適宜、書込めれるようになっているが、ジャンルやサビ開始位置の書込みエリアは存在しない。
【０００４】
【発明が解決しようとする課題】
したがってＣＤ−ＴＥＸＴに準拠してサビ開始位置やジャンルが記録されたＣＤをＭＤへダビングする場合、コピー先のＭＤへは、楽曲の音声データ及び楽曲の名称はコピーできるが、ジャンルやサビ開始位置のコピーが困難であり、支障が生じている。
【０００５】
ジャンルについては、ＭＤの楽曲名フィールドを利用して、楽曲の名称の後に区切り記号として例えば”／／”を付け、それに続けて、ジャンルのテキストデータを付加することが提案されている。例えば、この書込み方式で楽曲の名称が”Ｓｕｎｓｈｉｎｅ  ｒｉｖｅｒ”であり、かつジャンルが”ＪＡＺＺ”であることを表記すると、”Ｓｕｎｓｈｉｎｅ  ｒｉｖｅｒ／／ＪＡＺＺ”となる。そして、表示器へ楽曲名を表示する場合、楽曲における”／／”より前の部分のみが楽曲の名称を表し、”／／”より後の部分はジャンルを表していると判断し、”／／”の前のテキストのみを表示して、”／／”及びその後の部分のテキストを表示しないようにしている。図９は楽曲のジャンルをＵＴＯＣの楽曲名エリアに楽曲の後に”／／”＋”ジャンルコード”を付け足して書込んだ場合に、そのような書込み方式に準拠しているＭＤ記録・再生機の表示・操作部の楽曲名表示の表示例を示す。なお、ＣＤ−ＴＥＸＴでは、ジャンルは図８に示されるように、コードで記録され、ＭＤのＵＴＯＣの楽曲名フィールドに楽曲名と一緒にジャンルを書込むときは、ジャンルコードをテキスト文字へ変換する必要がある。
【０００６】
しかしながら、そのような書込み方式は、そのメーカ独自のものとなるので、他メーカのＭＤ記録・再生機や古いＭＤ記録・再生機では、”／／”及びその後に続く部分のテキストも表示されてしまう。図１０は楽曲のジャンルをＵＴＯＣの楽曲名エリアに楽曲の後に”／／”＋”ジャンルコード”を付け足して書込んだ場合に、そのような書込み方式に準拠していないＭＤ記録・再生機の表示・操作部の楽曲名表示の表示例を示す。このように、ジャンルは、楽曲名表示としては本来表示すべきではないにもかかわらず、楽曲名表示と一緒に表示されてしまう。
【０００７】
この発明の目的は、上述の問題点を克服できる記録・再生装置を提供することである。
【０００８】
【課題を解決するための手段】
この発明の記録・再生装置（１０）によれば、各楽曲について、そのメディアデータと共にその記録日付及び時刻が記録できるようになっている記録媒体（１２）に対して、楽曲のメディアデータの中間個所を、その楽曲の開始からの再生時間で定義し、その再生時間を記録媒体（１２）の記録日付及び時刻エリアの時刻エリア部に書込み、その書込み内容に基づいて楽曲の中間個所へジャンプして再生自在になっている。
【０００９】
記録媒体（１２）とは、例えばＭＤ（ミニディスク）（１２）であるが、画像を記録、再生自在の記録媒体も含むものとする。メディアデータのメディアとは、音声だけでなく、音声及び画像の両方、並びに画像のみを含むものとする。楽曲とは、ＭＤ（１２）へ音楽を録音する場合の曲だけでなく、英会話や会議等、ＭＤ（１２）等へ記録する記録上の１まとまりのメディア対象を含むものとする。楽曲のメディアデータの中間個所とは、例えば楽曲におけるサビ開始位置であり、英会話における重要部の開始位置等も含める。
【００１０】
楽曲のメディアデータの中間個所は、楽曲の名称エリア等ではなく、記録媒体（１２）の記録日付及び時刻エリアの時刻エリア部に書込まれるので、このような書込み方式を採用するすべての記録・再生装置（１０）において楽曲のメディアデータの中間個所が読み書き自在となるとともに、このような書込み方式を採用していない他の記録・再生装置において、楽曲名の表示の際、中間個所が楽曲の名称の一部であるかのように表示されるのを防止できる。
【００１１】
この発明の記録・再生装置（１０）によれば、記録媒体（１２）における楽曲の記録日付及び時刻エリアの時刻エリア部に記録されているデータが、楽曲の記録日付及び時刻ではなく、楽曲の中間個所であるときは、所定の目印を記録媒体（１２）に書込むようになっている。
【００１２】
これにより、各楽曲ごとに、記録媒体（１２）における楽曲の記録日付及び時刻エリアの時刻エリア部に書込まれているデータが、記録日付及び時刻かそれとも楽曲の中間個所であるかを識別できるとともに、その識別に基づいた所望の処理が可能になる。
【００１３】
この発明の記録・再生装置（１０）によれば、目印は、楽曲の記録日付及び時刻エリアの日付エリア部に書込まれる特定の日付である。
【００１４】
特定の日付（ｄａｔｅ）としては、ユーザが使用する可能性のほとんどない日付、例えば（西暦１９）５０年１月１日が選ばれる。目印としての日付は、年月日に特定されず、年月、例えば５０年１月としてもよい。特定の日付をマークとして使用するので、マークのためのフィールドを新たに追加したり、記録日付及び時刻エリア以外の別のエリアや楽曲を使用するのを回避できる。
【００１５】
この発明の記録・再生装置（１０）によれば、目印は、記録日付及び時刻エリアのモデルコードフィールドの所定ビットをフラグにして書込まれる。
【００１６】
マーク書込み個所として記録日付及び時刻エリアの日付エリア部ではなく、記録日付及び時刻エリアのモデルコードのフィールドの１ビットを使用するので、日付エリア部は本来の記録日として使用可能となる。
【００１７】
この発明の記録・再生装置（１０）は、中間個所が記録されているか否かを目印に基づいて検出する中間個所記録検出手段を有している。
【００１８】
中間個所が記録されているか否かは、目印に基づいて検出できる。検出結果は、例えば、ユーザへの表示等に利用される。
【００１９】
この発明の記録・再生装置（１０）は、楽曲の中間個所として記録されている再生時間がその楽曲の総再生時間を上回っているときは、記録されている中間個所は誤りであるとする中間個所不正検出手段を有している。
【００２０】
例えばＭＤ（１２）では、ユーザの編集によりトラックを分割することが適宜可能になっている。その場合、中間個所としてのトラック開始からの再生時間が、不適切になってしまい、その後の中間個所に係る処理に支障が出る。再生時間が楽曲の総再生時間を上回ることはおかしいので、その中間個所は誤りと判定できる。誤った中間個所によるその後の処理の支障を回避する対策としては、トラックの分割、連結等の処理時に目印を除去したり、分割、連結等に関連している楽曲の記録日付及び時刻エリアのデータをリセットしたりしてもよい。
【００２１】
この発明の記録・再生装置（１０）によれば、中間個所はサビ位置である。
【００２２】
この発明の記録・再生装置（１０）によれば、楽曲のジャンルを記録媒体（１２）の記録日付及び時刻エリアの日フィールドに書込み、その書込みに基づいて楽曲のジャンルを検出する。
【００２３】
例えばＣＤ−ＴＥＸＴでは、楽曲のジャンルについては、コード０から６５５３５まで定義可能になっているが、現在のところ、実際にジャンルを割り当てられているコードは、２から２８までである。年月日の日は、最大３１であるので、実際のジャンルを割り当てられている楽曲のジャンルのコードを、記録媒体（１２）の記録日付及び時刻エリアの日フィールドに支障なく書込むことができる。
【００２４】
この発明の記録・再生装置（１０）によれば、各楽曲について、そのメディアデータと共にその記録日付及び時刻が記録できるようになっている記録媒体（１２）に対して、楽曲のジャンルを記録媒体（１２）の記録日付及び時刻エリアを利用して書込み、その書込みに基づいて楽曲のジャンルを検出自在になっている。
【００２５】
例えばＣＤからＭＤ（１２）へのダビング時やＭＤ（１２）自体の編集時等の記録媒体（１２）への楽曲の名称の書込み処理では、楽曲のジャンルは、ＭＤ（１２）等の記録媒体（１２）において楽曲の名称エリアではなく、楽曲の記録日付及び時刻エリアの所定部に書込まれるので、このような書込み方式のすべての記録・再生装置（１０）において楽曲の名称が読込み自在となるとともに、このような書込み方式を採用していない他の記録・再生装置（１０）において、楽曲名の表示の際、ジャンルが楽曲の名称の一部であるかのように表示されるのを防止できる。
【００２６】
【発明の実施の形態】
以下、発明の実施の形態について図面を参照して説明する。
図７はＭＤ記録・再生機１０の主要部のブロック図である。ヘッド及びメカ部１１は、レコーダブルＭＤ１２を回転させるスピンドルモータを含むとともに、間にレコーダブルＭＤ１２を挟んで光学ヘッド及び磁気ヘッドを対向的に備え、レコーダブルＭＤ１２に対して、記録時及び再生時には光学ヘッドよりレーザ光を照射し、記録時には、磁気ヘッドより磁界を印加する。システムコントローラ１６は、専用のメモリ１７を備え、表示・操作部２０との間でデータをやり取りする。表示器２１には、上段にトラック番号表示２２（例：００１）及び時刻表示２３（例：５０：０６）、下段に楽曲名表示２４（例：ＨＡＰＰＹ  ＹＡＰＰＹ）が表示される。キー部２８には、ｐｌａｙ（再生）キー、ｐａｕｓｅ（休止）キー、ｓｋｉｐ＿ｕｐ（次曲）キー、ｓｋｉｐ＿ｄｏｗｎ（前曲）キー、ｓｔｏｐ（停止）キー、ｒｅｃ（記録）キー、サビサーチキー、及びサビ記録キーを含む。サビ記録インジケータ２９は、ＬＥＤから成り、所定の処理に対して点灯や消灯により情報をユーザーへ知らせる。サーボ処理ＩＣ３４は、ヘッド及びメカ部１１の光学ヘッドからのレーザ光のスポット及び磁気ヘッドからの磁界がレコーダブルＭＤ１２の所定位置に生成されるように、ヘッド及びメカ部１１へ制御信号を送る。信号処理ＩＣ３６は、メモリ３５を利用して、データ処理を行ない、ヘッド及びメカ部１１を介してレコーダブルＭＤ１２から読み取ったデータを復号して、それを、ＤＡＣ（ディジタル−アナログ変換器）３７を介してスピーカ等へオーディオ出力するとともに、テーププレーヤ等からのアナログオーディオ信号を、ＡＤＣ（アナログ−ディジタル変換器）３８を介して入力され、レコーダブルＭＤ１２への書込み用に符号化する。システムコントローラ１６は、ヘッド及びメカ部１１、サーボ処理ＩＣ３４、及び信号処理ＩＣ３６とデータをやり取りし、種々の機能及び処理を実行する。
【００２７】
図５はレコーダブルＭＤ１２に記録されるＵＴＯＣ（Ｕｓｅｒ’ｓ  ＴａｂｌｅＯｆ  Ｃｏｎｔｅｎｔｓ）のセクタ２の規格を示している。各行には、アドレスの小さい方から順番に計４個のバイトが並べられ、左端の４桁の数字は横の１番目のバイトのアドレスを示しており、各バイトは８ビットである。アドレス００００から００１１アドレスまでのバイトは、セクタ同期（Ｓｅｃｔｏｒ  Ｓｙｎｃ．）であり、アドレス００１２からアドレス００１３までのバイトは、クラスタセクタアドレス（ｃｌｕｓｔｅｒ  ｓｅｃｔｏｒ  ａｄｒ）であり、アドレス００１４の０２ｈ（ｈは１６進を意味する。）はセクタ２を意味し、アドレス００１５の０２ｈはこれがＭＤのものであることを意味する。レコーダブルＭＤ１２の各トラックの記録日付及び時刻は、Ｐ−ＴＲ０１〜Ｐ−ＴＲ０２５５の値（Ｐ−ＴＲＤ  ｎ）を下記の式に代入して得られるｂｙｔｅ  ｐｏｓｉｔｉｏｎから連続した８バイトのエリアに記録されている。
ｂｙｔｅ  ｐｏｓｉｔｉｏｎ＝７６×４＋（Ｐ−ＴＲＤ  ｎ）×８
【００２８】
各トラックの記録日付及び時刻エリアは連続した８個のバイトを占有し、最初のバイトから順番に、年、月、日、時、分、秒、メーカーコード、及びモデルコードとなっている。年から秒までは、ＢＣＤ形式で表され、メーカーコード及びモデルコードはセット販売メーカーごとに個別に定められているもので、各種記録情報の識別用に用いられるが、一般的な製品の用途としては特に利用されていない．
【００２９】
例えば、１９９７年９月３０日１３時２２分５０秒で、メーカーコードが０５、モデルコードが８ａ出あれば、記録日付及び時刻エリアの８個のアドレスの内容は、最初のアドレスから順番に９７，０９．３０，１３，２２，５０．０５，８ａとなり、年は下２桁のみで書込まれる。
【００３０】
このＵＴＯＣセクタ２の規格はオプション規格であり、トラックの記録日付及び時刻情報をサポートするためには、正確な時間情報をシステムコントローラ１６のマイコンで管理しなくてはならないために、より精度の高いクロック発振源等が必要となり、製造コストとの兼合いでサポートしていない機種がかなりある。
【００３１】
図１は「サビ記録」キーのオン操作に伴い実行される処理ルーチンのフローチャートである。「サビ記録」キー（図７）のオン操作は、ＭＤ記録・再生機１０が再生（ｐｌａｙ）中、記録（ｒｅｃｏｒｄ）中、又は休止（ｐａｕｓｅ）中にのみ有効となり、「サビ記録」キーがオン操作された時の再生位置、記録位置、又は休止位置が、その時のトラックの先頭からの再生時間に変換されて、ヘッド及びメカ部１１のＵＴＯＣのセクタ２の記録日付及び時刻エリアの時刻エリア部に記録される。ユーザは、再生中、記録中、又は休止中に、そこがサビ開始位置と判断した時に「サビ記録」キーをオン操作する。ヘッド及びメカ部１１のトラックの時間は、モノラルフォーマットでも、せいぜい最大１６０分程度であるので、サビ開始位置としての再生時間を記録日付及び時刻エリアの時刻エリア部に支障なく書込むことができる。Ｓ５０では、ＭＤ記録・再生機１０が再生中、記録中、又は休止中か否かを判定し、判定がＹＥＳであれば、Ｓ５１へ進み、ＮＯであれば、該ルーチンを終了する。Ｓ５１では、サビ開始位置をＵＴＯＣ用のメモリに記憶する。なお、ＭＤ記録・再生機１０では、レコーダブルＭＤ１２のＵＴＯＣへの書込みは、データが変更されるとすぐにではなく、レコーダブルＭＤ１２がＭＤ記録・再生機１０のスロットより排出する指示がユーザーよりあった場合の排出直前に、実施するようになっているので、データの変更は一時的にＵＴＯＣ用のメモリに記憶されることになる。また、サビ開始位置の記録は、ＵＴＯＣのセクタ２の記録日付及び時刻エリア（図５）の時、分、秒の各フィールドに現在のトラックの先頭からサビ開始位置までの再生時間を書込むことにより行われる。さらに、時刻エリア部に、記録時刻でなく、サビ開始位置を記録したことを識別するために、日付エリア部には、５０／０１／０１（＝５０年１月１日）が記録される。５０年１月１日を採用したのは、このような年月日は、記録年月日として通常、使用されないだろうとの判断に基づく。Ｓ５２では、ＭＤ記録・再生機１０の表示・操作部２０のサビ記録インジケータ２９を約１秒間、低周波数で点滅させる。
【００３２】
図２は「サビサーチ」キーをオン操作に伴い実行される処理ルーチンのフローチャートである。「サビサーチ」キー（図７）のオン操作は、停止中、休止中、又は再生中にのみ有効である。時刻エリア部に書込まれているデータが、本来の記録時刻に代えてサビ開始位置となっているかは、日付エリア部のデータが５０年１月１日であるか否かにより判定し、時刻エリア部にサビ開始位置として書込まれている再生時間が該当トラックの総再生時間を上回っているときは、日付エリアに書込まれているデータは不正と判定して、サーチを中止するようにしている。レコーダブルＭＤ１２では、トラック先頭からの再生時間として記録されたサビ開始位置が、トラックの分割等により不正になることがあり、このような場合に、サーチを強行すると、間違ったサビ開始位置がサーチされるので、これを防止するためである。Ｓ５５では、ＭＤ記録・再生機１０が停止中、休止中、又は再生中であるか否かを判定し、判定がＹＥＳである場合は次のＳ５６へ進み、ＮＯである場合は、該ルーチンを修了する。Ｓ５６では、現在のトラックの記録日付及び時刻エリアの日付データを読込む。ＭＤ記録・再生機１０では、ｓｔｏｐキー（図７）をオン操作すると、トラックは最初へ戻るので、停止中の現在のトラックとは００１番のトラックとなる。Ｓ５７では、読込んだ日付データが５０年１月１日であるか否かを判定し、判定がＹＥＳであれば、Ｓ５８へ進み、ＮＯであれば、該ルーチンを終了する。Ｓ５８では、同じ記録日付及び時刻エリアの時刻データを読込んで、サビ開始位置として記録されている再生時間が、現在のトラックの総再生時間以内か否かを判定し、判定がＮＯであれば、Ｓ５９へ進み、ＹＥＳであれば、Ｓ６０へ進む。Ｓ５９では、ＭＤ記録・再生機１０の表示・操作部２０のサビ記録インジケータ２９を約１秒間、高周波数で点滅させる。Ｓ６０では、サビ開始位置をサーチし、Ｓ６１においてサーチが完了すると、該ルーチンを終了する。なお、サーチが完了すると、再生中では、サビ開始位置へ直ちにジャンプし、停止中では、次にｐｌａｙキーをオン操作した時に、トラック番号００１のサビ開始位置から再生開始され、休止中では、次に休止を解除した時に、休止前のトラック番号のサビ開始位置から再生開始される。
【００３３】
図３はＭＤ記録・再生機１０の表示・操作部２０のサビ記録インジケータ２９の処理ルーチンのフローチャートである。このルーチンは所定時間ごとの定期的な割込みルーチンとなっている。Ｓ６６では、少なくとも１個のトラックが記録済みとなっているレコーダブルＭＤ１２がＭＤ記録・再生機１０にセットされているか否かを判定し、判定がＹＥＳである場合は、次のＳ６７へ進み、ＮＯである場合は、Ｓ７１へ進む。Ｓ６７では、サビ記録インジケータ２９が点滅中（例えばＳ５２（図１）やＳ５９（図２）の実行中）、すなわちサビ記録インジケータ２９について特別な処理の実行中か否かを判定し、判定がＹＥＳである場合は該ルーチンを終了し、ＮＯである場合は、Ｓ６８へ進む。Ｓ６８では、現在のトラック表示、すなわち表示・操作部２０のトラック番号表示２２に表示されているトラック番号のトラックに係るＵＴＯＣのセクタ２の記録日付及び時刻エリアの日付エリア部のデータを読込む。Ｓ６９では、Ｓ６８で読込んだ年月日データが５０年１月１日であるか否かを判定し、判定がＹＥＳであれば、Ｓ７０へ進み、ＮＯであれば、Ｓ７１へ進む。Ｓ７０では、サビ記録インジケータ２９を点灯させる。ｓ７１では、サビ記録インジケータ２９を消灯させる。
【００３４】
図４は図３の処理にサビ開始位置誤り処理を付加した処理ルーチンのフローチャートである。途中のステップまでは、図３のステップと同じであるので、同符号で指示し、付加したところのみを説明する。Ｓ６９の判定がＹＥＳである場合は、Ｓ７６へ進む。Ｓ７６では、Ｓ５８（図２）と同様に、現在のトラックの記録日付及び時刻エリアの時刻エリア部のデータを読込んで、サビ開始位置として記録されている再生時間が、そのトラックの総再生時間以内か否かを判定し、判定がＮＯであれば、Ｓ７７へ進み、ＹＥＳであれば、Ｓ７８へ進む。Ｓ７７では、サビ開始位置が不正と判断して、サビ記録インジケータ２９を赤色点灯する（この場合、サビ記録インジケータ２９は、単一色発光ではなく、赤及び青の２色発光ＬＥＤから成る。）。Ｓ７８では、記録されているサビ開始位置が正しいと判断して、サビ記録インジケータ２９を青色点灯する。
【００３５】
図８はＣＤ−ＴＥＸＴ規格に定義されているジャンルコードが表わすジャンル名を示す図である。現在のところ、コードで２から２８までがジャンルを定義されている。図６は記録日付及び時刻エリアを利用して楽曲のジャンル及びサビ開始位置を記録した場合の記録日付及び時刻エリアの各フィールドのデータを示している。年及び月のフィールドにそれぞれ５０，０１が書込まれ、日のフィールドには、２〜２８までのどれかの数値がジャンルのコードとして書込まれる。この場合、日付エリア部にサビ開始位置を書込んだ目印としては、時刻エリア部の５０年１月１日ではなく、５０年１月までとされる。そして、日のフィールドに書込まれた数値は、楽曲のジャンルコードとして処理される。実際の年月日として有り得ない年月日（例：５０年１月３２日や５０年１月０日等）が日付エリア部に書込まれたり、書込まれようとすると、不正と判断されて、トラブルの原因になるが、日フィールドの０１〜２８までの数値は５０年１月の日として不正にならないので、２〜２８までのジャンルコードは日フィールドへ支障なく書込み、処理できる。図６のように、日フィールドへのジャンルコードの書込みは、ＣＤからレコーダブルＭＤ１２へのダビングの際に、自動的に、又は、ユーザによる編集操作により行なわれる。そして、ＭＤ記録・再生機１０は、日フィールドから楽曲のジャンルを適宜、読出して、ジャンル検索等の処理に利用する。
【００３６】
記録日付及び時刻エリアの日付エリア部にサビ開始位置としての再生時間を書込んだ目印として日付エリア部に５０年１月１日と書込む代わりに、記録日付及び時刻エリアのモデルフィールドの一桁目のビットをフラグとして利用することができる。このフラグの値が０，１のとき、それぞれ日付エリア部にサビ開始位置が書込まれていない及び書込まれているを意味するものと定義する。この場合、モデルコードのフィールドの一桁目はフラグとして利用されてしまうが、二桁目以降の計７ビットをモデルコードとして使用してもよい。例えば、０＊＊＊＊＊＊＊ｂ（ｂは２進表示を意味する。）において、フラグが０であることを意味し、２桁目〜８桁目の計７桁がモデルコードを意味する。
【図面の簡単な説明】
【図１】「サビ記録」キーのオン操作に伴い実行される処理ルーチンのフローチャートである。
【図２】「サビサーチ」キーをオン操作に伴い実行される処理ルーチンのフローチャートである。
【図３】ＭＤ記録・再生機の表示・操作部のサビ記録インジケータの処理ルーチンのフローチャートである。
【図４】図３の処理にサビ開始位置誤り処理を付加した処理ルーチンのフローチャートである。
【図５】レコーダブルＭＤに記録されるＵＴＯＣのセクタ２の規格を示す図である。
【図６】記録日付及び時刻エリアを利用して楽曲のジャンル及びサビ開始位置を記録した場合の記録日付及び時刻エリアの各フィールドのデータを示す図である。
【図７】ＭＤ記録・再生機の主要部のブロック図である。
【図８】ＣＤ−ＴＥＸＴ規格に定義されているジャンルコードが表わすジャンル名を示す図である。
【図９】楽曲のジャンルをＵＴＯＣの楽曲名エリアに楽曲の後に”／／”＋”ジャンルコード”を付け足して書込んだ場合に、そのような書込み方式に準拠しているＭＤ記録・再生機の表示・操作部の楽曲名表示の表示例を示す図である。
【図１０】楽曲のジャンルをＵＴＯＣの楽曲名エリアに楽曲の後に”／／”＋”ジャンルコード”を付け足して書込んだ場合に、そのような書込み方式に準拠していないＭＤ記録・再生機の表示・操作部の楽曲名表示の表示例を示す図である。
【符号の説明】
１０    ＭＤ記録・再生機（記録・再生装置）
１２    レコーダブルＭＤ（記録媒体）
【図１】
0003571512.tif 000002
【図２】
0003571512.tif 000003
【図３】
0003571512.tif 000004
【図４】
0003571512.tif 000005
【図５】
0003571512.tif 000006
【図６】
0003571512.tif 000007
【図７】
0003571512.tif 000008
【図８】
0003571512.tif 000009
【図９】
0003571512.tif 000010
【図１０】
0003571512.tif 000011